(57)【特許請求の範囲】
【請求項１】
鍵穴の取付面を扉面より凹ませ、かつその凹ませた空間においてキーを下方から上方に向かって挿入するような向きに鍵穴を配置したことを特徴とする自動販売機用ロック装置。
【発明の詳細な説明】
【０００１】
【発明の属する技術分野】
本発明は、自動販売機の正面扉に設けるロック装置に関する。
【０００２】
【従来の技術】
自動販売機は、屋外、屋内に無人状態で設置され、内部には予め用意された釣銭及び売上の現金と、多数の商品とが収納されているから、当然に特に現金の盗難に備えてロック装置が設けられているが、特に夜間においてはロック装置を破壊して現金を奪取するという犯罪が多い。従来のロック装置は、自動販売機前面の扉に設けられ、その一般的な構造は、ロック装置のハンドルを回転させることにより、扉のスライダーと自動販売機本体との係合が外れ扉が開くものである。扉が閉じている状態ではハンドルはロックベースに嵌め込まれる形で収納されており、扉開閉時にはハンドルに取り付けられたシリンダー錠を解除することでハンドルが飛び出して回転可能な状態となる。図２はその一例を示すものである。図において、ａは正面図、ｂ、ｃはそれぞれこのロック装置における扉が閉まった状態、扉開閉時のハンドルが飛び出した状態の縦断面図を表すもので、２１は自動販売機の前面に設けられた扉、２２は扉２１に固定されたロックベース、２３はシリンダー、２４はシリンダーに設けられた鍵穴、２５はシリンダーに取り付けられたハンドル、２６はシリンダーに設けられたかんぬき、２７はカム、２８はシリンダーとカムとの間に挿入されたポップアップ用スプリングである。ロック状態においてはハンドル２５はロックベース２２の窪み２９内に収納され、かんぬき２６はカム２７に設けられた孔２１０に嵌まり込み、ポップアップ用スプリング２８は圧縮状態にあり、カム２７に連結されている図示されていない扉のスライダーが自動販売機本体の係合部に係合され、扉２１はロックされている。シリンダー２３の鍵穴２４に正面からキー２１１を差し込み回すとかんぬき２６がカム２７の孔２１０から外れ、ハンドル２５はスプリング２８の作用により外方へ押され窪み２９から飛び出すから、ハンドル２５は回動操作が可能となり、これによってカム２７に取り付けられたスライダーが自動販売機本体の係合部から外され、扉はロック解除される。ロックする場合には、扉を閉めることによりスライダーは再び自動販売機本体の係合部に係合し、その後ハンドル２５をベース２２の窪み２９内に納め、キー２１１を鍵孔２４に差し込んで回すことにより再びかんぬき２６がカム２７の孔２１０とに嵌まり込み、ハンドル２５は窪み２９内に固定されるようになっている。
【０００３】
この種のロック装置に対する代表的な破壊の手口は、鍵穴にねじを立てくぎ抜きでシリンダーごと引き抜く方法、鍵穴から電気ドリルでシリンダーを破壊する方法、シリンダーの周りをホールソーで丸ごと刳り抜く方法などである。これらの手口に対する防止策には、シリンダーのキャップを硬質化する方法、鍵穴をキャップカバーで覆う方法、鍵穴を空転式にすることによってねじを空回りさせる方法、シリンダーに硬質ボールを内蔵しドリルを空回りさせる方法などがあるが、これらの対策が施される度に高度の加工工具を使用した次々と新しい手口が登場し、最終的な防止策が見出されないままにあるのが現状である。
【０００４】
【発明が解決しようとする課題】
本発明の課題は、従来に比し破壊作業を極めてやり難くするロック装置を提供することにある。
【０００５】
【課題を解決するための手段】
上述の課題を解決するため、本発明においては、鍵穴の取付面を扉面より凹ませ、かつその凹ませた空間においてキーを下方から上方に向かって挿入するような向きに鍵穴を配置する。
【０００６】
【発明の実施の形態】
本発明においては、自動販売機の正面扉のシリンダー錠を取り付ける部分を若干凹ませ、その凹んだ面にシリンダー錠を鍵穴が斜めになるように取り付け、しかも鍵穴にキーを挿入するとき、下方からキーを鍵穴に挿入しなければならないようにシリンダー錠を取り付けるようにすることによって、仮にこの錠を破壊しようとすると、破壊に使用する種々の工具を凹んだ狭い空間に差し込み、かつ下方から上方に向け力を作用させなければならず、破壊作業にとっては極めて効率の悪い環境が形成される。
【０００７】
【実施例】
次に本発明の実施例を図について説明する。
【０００８】
図１において、１は自動販売機の前面に設けられている扉、２は扉１に設けられた凹みで、断面ほぼ台形状をなしている。３は凹み２の上部に設けられたロック装置、４はロックベースで、その下方部分５は凹み２の上側の傾斜面６に面して取り付けられ、上方部分７には窪み８が形成されている。９はシリンダーで、ベース４の下方部分５に取り付けられ、しかもその軸は下方から上方へ斜めに延び、従ってシリンダーに設けられた鍵穴１０も下方から上方へと斜めに延びている。１１はシリンダーに設けられたかんぬきである。１２はハンドルで、ベース４の上方部分７の窪み８に収納され得るようになっている。ハンドル１２はポップアップ用スプリング１３を介してカム１４と連結され、カム１４は図示されていない扉のスライダーに連結され、スライダーは自動販売機本体の係合部に係合し得るようになっている。かんぬき１１はハンドル１２に設けられた穴１５とカム１４に設けられた穴１６とに嵌合し得るようになっている。
【０００９】
扉が閉まった状態においては図１のａに示すように、ハンドル１２はロックベース４の窪み８内に収納され、かんぬき１１はカム１４に設けられた孔１６とハンドル１２に設けられた孔１５とに嵌まり込み、ポップアップ用スプリング１３は圧縮状態にあり、カム１４に連結されている図示されていないスライダーが自動販売機本体の係合部に係合され、扉１はロックされている。シリンダー９の鍵穴１０にキー１７を差し込み回すとかんぬき１１がカム１４の孔１６とハンドル１２の孔１５から外れ、ハンドル１２はスプリング１３の作用により外方へ押され窪み８から飛び出すから、ハンドル１２は回動操作が可能となり、これによってカム１４に取り付けられたスライダーが自動販売機本体の係合部から外され、ロック解除される。ロックする場合には、扉１を閉めることによりスライダーを自動販売機本体の係合部に係合させた後ハンドル１２を窪み８内に納め、キー１７を鍵孔１０に差し込んで回すことにより再びかんぬき１１がカム１４の孔１６とハンドル１２の孔１５とに嵌まり込み、ハンドル１２は窪み８内に固定されるようになっている。
【００１０】
扉１の凹み２は、錠の開閉を行うためにキーの着脱を行い得るだけの空間になるように出来るだけ小さく形成し、この凹み２の空間に破壊のための種々の工具を差し込み難いようにするのが有利である。
【００１１】
上述の例ではシリンダー錠の例について説明したが、シリンダー錠に限らず種々の形式の錠に適用することができる。
【００１２】
【発明の効果】
本発明によれば、錠を開閉するキーの着脱のための空間が極めて小さく形成され、しかも鍵穴が従来のように正面を向いておらず下向きであり、キーは下方から上方に向け差し込まなければならないようになっており、たとえロック装置を破壊しようとしても作業が極めてし難く、作業効率が悪く、破壊するのに時間を要するから、犯行意欲を殺ぎ、実行を断念させることになり、結果として盗難を防止し得る効果を有するものである。
【図面の簡単な説明】
【図１】本発明の実施例の、ａは正面図、ｂは扉が閉まった状態の縦断面図、ｃは扉開閉時のハンドルが飛び出した状態の縦断面図である。
【図２】従来のロック装置の、ａは正面図、ｂは扉が閉まった状態の縦断面図、ｃは扉開閉時のハンドルが飛び出した状態の縦断面図である。
【符号の説明】
１  扉
２  扉の凹み
３  ロック装置
４  ロックベース
５  ロックベースの下方部分
６  凹みの傾斜面
７  ロックベースの上方部分
８  ロックベースの窪み
９  シリンダー
１０  鍵穴
１１  かんぬき
１２  ハンドル
１３  ポップアップ用スプリング
１４  カム
１５  ハンドルの穴
１６  カムの穴
１７  キー
【図１】
0003693140.tif 000002
【図２】
0003693140.tif 000003